(57)【特許請求の範囲】
【請求項１】
電線を加締めた端子と、係止ランスにより端子収容室内に端子を収容するコネクタと、コネクタに収容した端子を抜く際の係止解除用の解除治具とを備えた端子係止解除構造であって、
前記端子は、相手端子と接続される端子接続部と、前記電線が加締められる電線加締部と、前記コネクタの係止ランスと係合する係止部と、前記係止ランス側に突出し、前記係止ランスと前記係止部とが係合した状態で端子を挿入方向に摺動させた時に前記係止ランスと当接して該係止ランスを前記係止部との係合の解除方向に撓ませ、前記係止ランスと前記係止部との係合を解除させる突起とを有していることを特徴とする端子係止解除構造。
【請求項２】
請求項１記載の端子係止解除構造であって、
前記コネクタは、前記端子の端子接続部側から前記端子収容室に沿って形成される治具挿入孔と、コネクタに収容されて前記端子の係止・位置決めを行うフロントホルダとを有していることを特徴とする端子係止解除構造。
【請求項３】
請求項１又は２記載の端子係止解除構造であって、
前記係止ランスは、前記端子の基面と当接して支持する水平部を有する係合片と、前記端子の係止部に当接して端子を所定の位置に保持・固定させる係止突起とを有し、前記係止突起は、固定端側から徐々に競り上がるように傾斜していることを特徴とする端子係止解除構造。
【請求項４】
請求項１乃至３のいずれか１項に記載の端子係止解除構造であって、
前記解除治具は、先端が傾斜形状となっており、該先端を前記コネクタに挿入することによって前記係止ランスを撓ませて前記端子を前記端子収容室内から取り外せることを特徴とする端子係止解除構造。
【請求項５】
請求項１乃至４のいずれか１項に記載の端子係止解除構造を用いたコネクタであって、
前記係止ランスは、前記端子の基面と当接して支持する水平支持面と、前記端子の係止部に当接して端子を所定の位置に保持・固定させる係止面と、前記端子を挿入方向に摺動させた時に端子の前記突起と当接する傾斜面とを有していることを特徴するコネクタ。
【発明の詳細な説明】
【技術分野】
【０００１】
本発明は、ワイヤーハーネス用コネクタの端子係止構造において、解除治具を用いた端子係止解除構造及びこの構造を用いたコネクタに関する。
【背景技術】
【０００２】
特許文献１には、ワイヤーハーネスの電線端末が接続された端子がコネクタの端子収容室内に係止された構造が記載されている。この端子は、可撓性のアームの先端にコネクタに形成された係止ランスによって係止されている。この係止ランスは、端子の係止部と当接する係止突起と、端子を端子収容室内から取り外すときに用いられる解除治具が当接する係合片とを有している。この係合片は、先端側がテーパ面となっており、解除治具を係合片の先端やテーパ面に当接させて係止ランスを可撓方向に撓ませ、端子の係止部と係止ランスの係止突起との係合を解除し、端子を端子収容室内から取り外している。
【特許文献１】特開平４−１８９４７８号公報（図６）
【発明の開示】
【発明が解決しようとする課題】
【０００３】
上記のように解除治具を用いて端子と係止ランスとの係合の解除を行う場合、解除作業は手探りで行うため、解除治具先端にテーパ面を設けて係止ランスに引っ掛け易くしたり、上記のように係止ランスの係合片の先端側にテーパ面を設けて解除治具の先端を誘導し易い形状が取られていた。
【０００４】
しかしながら、解除治具による解除性を重視した上記の係合片のテーパ形状は、端子に当接する部位が断面上一点となり、端子と係合片との間に隙間ができ、ガタが発生し易く端子の保持状態が不安定となる可能性があった。
【０００５】
そこで、この発明は、端子を端子収容室内に確実に係止させると共に、解除治具による解除作業性を向上させることのできる端子係止解除構造及びこの構造を用いたコネクタの提供を目的としている。
【課題を解決するための手段】
【０００６】
請求項１の発明は、電線を加締めた端子と、係止ランスにより端子収容室内に端子を収容するコネクタと、コネクタに収容した端子を抜く際の係止解除用の解除治具とを備えた端子係止解除構造であって、前記端子は、相手端子と接続される端子接続部と、前記電線が加締められる電線加締部と、前記コネクタの係止ランスと係合する係止部と、前記係止ランス側に突出し、前記係止ランスと前記係止部とが係合した状態で端子を挿入方向に摺動させた時に前記係止ランスと当接して該係止ランスを前記係止部との係合の解除方向に撓ませ、前記係止ランスと前記係止部との係合を解除させる突起とを有していることを特徴とする。
【０００７】
請求項２の発明は、請求項１記載の端子係止解除構造であって、前記コネクタは、前記端子の端子接続部側から前記端子収容室に沿って形成される治具挿入孔と、コネクタに収容されて前記端子の係止・位置決めを行うフロントホルダとを有していることを特徴とする。
【０００８】
請求項３の発明は、請求項１又は２記載の端子係止解除構造であって、前記係止ランスは、前記端子の基面と当接して支持する水平部を有する係合片と、前記端子の係止部に当接して端子を所定の位置に保持・固定させる係止突起とを有し、前記係止突起は、固定端側から徐々に競り上がるように傾斜していることを特徴とする。
【０００９】
請求項４の発明は、請求項１乃至３のいずれか１項に記載の端子係止解除構造であって、前記解除治具は、先端が傾斜形状となっており、該先端を前記コネクタに挿入することによって前記係止ランスを撓ませて前記端子を前記端子収容室内から取り外せることを特徴とする。
【００１０】
請求項５の発明は、請求項１乃至４のいずれか１項に記載の端子係止解除構造を用いたコネクタであって、前記係止ランスは、前記端子の基面と当接して支持する水平支持面と、前記端子の係止部に当接して端子を所定の位置に保持・固定させる係止面と、前記端子を挿入方向に摺動させた時に端子の前記突起と当接する傾斜面とを有していることを特徴する。
【発明の効果】
【００１１】
請求項１の端子係止解除構造は、端子を係止ランスが撓む側に押圧しながら挿入方向に摺動させた時に係止ランスと当接してこの係止ランスを係止部との係合の解除方向に撓ませる突起を端子に有しているので、端子の突起によって係止ランスを撓ませることができ、解除治具が係止ランスの先端を容易にとらえることができる。従って、解除治具による解除操作において係止ランスにこじり等の負荷を与えることなくスムーズに端子の係止を解除することができる。
【００１２】
また、こじり等で係止ランスに過剰な変形応力を与えることがないので、係止ランスは塑性変形し難いので係止ランスのバネ性の低下を招くことがなく、端子の保持力低下を防止することができる。
【００１３】
請求項２の端子係止解除構造は、コネクタが端子の端子接続部側から端子収容室に沿って形成される治具挿入孔を有しているので、端子の係止解除操作において、解除治具を治具挿入孔に挿入するだけで、係止ランスの先端を確実にとらえることができ、スムーズに端子の係止を解除することができる。
【００１４】
また、コネクタが端子の係止・位置決めを行うフロントホルダを有しているので、端子の係止状態において、係止ランスの可撓空間にフロントホルダの固定部が挿入されており、係止ランスの撓みを規制し、端子を確実に端子収容室内に係止することができる。
【００１５】
さらに、フロントホルダの係止状態を解除しても、恣意的に端子を係止ランスが撓む側に押圧しながら挿入方向にスライドさせなければ、端子の突起が係止ランスと当接することがなく、端子を端子収容室内に仮係止状態として維持することができる。
【００１６】
請求項３の端子係止解除構造は、係止ランスが端子の基面と当接して支持する水平部を有する係合片を有しているので、端子と係止ランスとの間に隙間がなく、端子にガタが発生せず、端子の保持状態を安定させることができる。
【００１７】
また、係止ランスの係止突起が固定端側から徐々に競り上がるように傾斜しているので、端子を係止ランスが撓む側に押圧しながら挿入方向にスライドさせた際に、端子の突起が徐々に係止突起と当接することとなり、スムーズに係止ランスを撓ませることができる。
【００１８】
請求項４の端子係止解除構造は、解除治具の先端が傾斜形状となっているので、端子の係止解除操作の際に、撓まされた係止ランスの先端を確実にとらえることができる。
【００１９】
請求項５のコネクタは、係止ランスが端子の基面と当接して支持する水平支持面を有しているので、端子と係止ランスとの間に隙間がなく、端子にガタが発生せず、端子の保持状態を安定させることができる。
【００２０】
また、係止ランスが撓む側に押圧しながら端子を挿入方向に摺動させた時に端子の突起と当接する傾斜面を有しているので、端子を挿入方向にスライドさせた際に、端子の突起が徐々に係止突起と当接することとなり、スムーズに係止ランスを撓ませることができる。
【発明を実施するための最良の形態】
【００２１】
図１乃至図４を用いて実施形態について説明する。
【００２２】
本実施形態の端子係止解除構造は、電線Ｗを加締めた端子１と、係止ランス３により端子収容室５内に端子１を収容するコネクタ７と、コネクタ７に収容した端子１を抜く際の係止解除用の解除治具９とを備えている。
【００２３】
図１乃至図４に示すように、端子１は、相手端子（不図示）と接続される端子接続部１１と、電線Ｗが加締められる電線加締部１３と、コネクタ７の係止ランス３と係合する係止部１５と、係止ランス３側に突出し、端子１を挿入方向に摺動させた時に係止ランス３と当接して係止ランス３を係止部１５との係合の解除方向に撓ませる突起１７とを有している。
【００２４】
端子１の端子接続部１１は、コネクタ７のフード部１９内に突出され、相手コネクタ（不図示）をコネクタ７に嵌合することによって相手端子（不図示）と接続される。端子１の係止部１５は、端子接続部１１より電線加締部１３側に設けられ、基面２１と係止面２３とを有している。端子１の突起１７は、係止部１５より電線加締部１３側で、係止部１５と後述する係止突起４１に撓み方向に力が加わらない所定の距離で離間して設けられている。また、この突起１７は、端子１が端子収容室５に収容された状態で、係止ランス３側に突出するように形成されている。なお、突起１７の突出量は、係止ランス３の固定端側と当接しないように設定されている。さらに、端子１の係止部１５と反対側の部分には、仮係止突起Ａが設けられている。この仮係止突起Ａは、端子１をコネクタ７に挿入し、仮係止した際、端子１がコネクタ７の嵌合位置に止まるように挿入位置を規制するコネクタ７の仮係止段差Ｂに当接する。
【００２５】
コネクタ７は、複数の端子１を収容する複数の端子収容室５と、端子１の係止部１５を係止する係止ランス３と、端子１の端子接続部１１側から端子収容室５に沿って形成される治具挿入孔２５と、コネクタ７に収容されて端子１の係止・位置決めを行うフロントホルダ２７とを有している。係止ランス３は、可撓性を有するように端子収容室５の底壁側に形成されている。治具挿入孔２５は、解除治具９が挿入されたときに解除治具９が係止ランス３の先端側に当接するように端子収容室５に沿って形成されている。フロントホルダ２７は、コネクタ７のフード部１９側から挿入されて、係止ランス３の下部の空間に固定部２９を挿入して係止ランス３の下部側への撓みを規制し、端子１の係止・位置決めを行う。このフロントホルダ２７には、端子１の端子接続部１１が挿入される端子取出部３１が形成された端子取出部壁３３を有している。また、この端子取出部壁３３には、治具挿入孔２５と連通する治具挿入部３５が形成されている。
【００２６】
コネクタ７の係止ランス３は、端子１の基面２１と当接して支持する水平部３７を有する係合片３９と、端子１の係止部１５に当接して端子１を所定の位置に保持・固定させる係止突起４１とを有している。係合片３９は、係止ランス３の自由端側に形成されている。係合片３９の水平部３７には、端子１を端子収容室５内に係止させた際に、端子１の基面２１と水平部３７との間に隙間がなくなくなるように当接する水平支持面４３が形成されている。係止突起４１には、端子１の係止部１５の係止面２３と当接する係止面４５が形成されている。また、係止突起４１には、固定端側から徐々に競り上がるように傾斜する傾斜面４７が形成されている。
【００２７】
解除治具９は、先端が傾斜形状となっている。この解除治具９の先端をフロントホルダ２７の治具挿入部３５及びコネクタ７の治具挿入孔２５に挿入することによって、先端が係止ランス３の係合片３９と当接して係止ランス３を撓ませて端子１を端子収容室５内から取り外すことができる。
【００２８】
次に、端子１の係止解除方法について説明する。
【００２９】
図２に示すように、端子１は、係止ランス３とフロントホルダ２７によってコネクタ７に係止されている。まず、図３に示すように、フロントホルダ２７を係止ランス３が撓み可能となる位置まで移動させる。次に、端子１を端子接続部１１側に摺動させ、端子１の突起１７と係止ランス３の係止突起４１とを当接させる。ここで、端子１は仮係止突起Ａと仮係止段差Ｂとによって挿入方向への移動が規制されているので、仮係止突起Ａを仮係止段差Ｂの傾斜面に沿って仮係止段差Ｂに潜り込ませるように端子１を挿入方向へ移動させる。これにより、端子１の仮係止状態が解除され、端子１を端子接続部１１側へ移動させることができる。そして、係止突起４１には固定端側から徐々に競り上がるように傾斜する傾斜面４７が形成されているので、突起１７が傾斜面４７と当接することによって係止ランス３が下方に撓み、係止部１５と係止ランス３との係合が解除される。この状態で、図４に示すように、解除治具９をフロントホルダ２７の治具挿入部３５及びコネクタ７の治具挿入孔２５に挿入する。このときすでに係止ランス３は下方に撓んでいるので、解除治具９の先端は、係止ランス３の係合片３９を容易にとらえることができる。そして、解除治具９の先端は傾斜形状となっているので、解除治具９を挿入することによって係止ランス３をさらに下方に撓ませて端子１を端子収容室５から取り外すことができる。
【００３０】
このような端子係止解除構造では、端子１を係止ランス３が撓む側に押圧しながら挿入方向に摺動させた時に係止ランス３と当接してこの係止ランス３を係止部１５との係合の解除方向に撓ませる突起１７を有しているので、端子１の突起１７によって係止ランス３を撓ませることができ、解除治具９が係止ランス３の先端を容易にとらえることができる。従って、解除治具９による解除操作において係止ランス３にこじり等の負荷を与えることなくスムーズに端子１の係止を解除することができる。
【００３１】
また、こじり等で係止ランス３に過剰な変形応力を与えることがないので、係止ランス３は塑性変形し難いので係止ランス３のバネ性の低下を招くことがなく、端子１の保持力低下を防止することができる。
【００３２】
さらに、コネクタ７が端子１の端子接続部１１側から端子収容室５に沿って形成される治具挿入孔２５を有しているので、端子１の係止解除操作において、解除治具９を治具挿入孔２５に挿入するだけで、係止ランス３の先端を確実にとらえることができ、スムーズに端子１の係止を解除することができる。
【００３３】
加えて、コネクタ７が端子の係止・位置決めを行うフロントホルダ２７を有しているので、係止ランス３の可撓空間に固定部２９が挿入されており、係止ランス３の撓みを規制し、端子１の係止状態において、端子１を確実に端子収容室５内に係止することができる。また、フロントホルダ２７には、治具挿入孔２５と連通する治具挿入部３５が形成されているので、フロントホルダ２７をコネクタ７から完全に取り外さなくてもフロントホルダ２７を移動させるだけで、解除治具９を挿入することができる。
【００３４】
さらに、フロントホルダ２７の係止状態を解除しても、仮係止突起Ａが端子１の挿入方向への移動を規制し、恣意的に端子１を係止ランス３が撓む側に押圧しながら挿入方向にスライドさせなければ、端子１の突起１７が係止ランス３と当接することがなく、端子１を端子収容室５内に仮係止状態として維持することができる。
【００３５】
加えて、係止ランス３が端子１の基面２１と当接して支持する水平部３７を有する係合片３９を有しているので、端子１と係止ランス３との間に隙間がなく、端子１にガタが発生せず、端子１の保持状態を安定させることができる。
【００３６】
また、係止ランス３の係止突起４１が固定端側から徐々に競り上がるように傾斜する傾斜面４７を有しているので、端子１を挿入方向にスライドさせた際に、端子１の突起１７が徐々に係止突起４１と当接することとなり、スムーズに係止ランス３を撓ませることができる。
【００３７】
さらに、解除治具９の先端が傾斜形状となっているので、端子１の係止解除操作の際に、撓まされた係止ランス３の先端を確実にとらえることができる。従って、解除治具９を挿入することによって係止ランス３をさらに下方に撓ませて端子１を端子収容室５から取り外すことができる。
【図面の簡単な説明】
【００３８】
【図１】本実施形態の端子の斜視図である。
【図２】本実施形態の端子をコネクタに係止させたときの断面図及び要部拡大断面図である。
【図３】本実施形態の端子と係止ランスとの係合を解除させたときの断面図及び要部拡大図である。
【図４】本実施形態のコネクタに解除治具を挿入させたときの断面図である。
【符号の説明】
【００３９】
１…端子
３…係止ランス
５…端子収容室
７…コネクタ
９…解除治具
１５…係止部
１７…突起
２１…基面
２３…係止面
２５…治具挿入孔
２７…フロントホルダ
３５…治具挿入部
３７…水平部
３９…係合片
４１…係止突起
４３…水平支持面
４５…係止面
４７…傾斜面
【図１】
0004732901.tif 000002
【図２】
0004732901.tif 000003
【図３】
0004732901.tif 000004
【図４】
0004732901.tif 000005